(57)【要約】【課題】  パック詰め商品等の収納物が袋状物又は箱状物内で片寄らず、買い求めた状態で収納できるため、商品価値を損なうことがない。【解決手段】  商品収納のための袋状物又は箱状物に結束可能な紐又はテープをその袋状物又は箱状物の周縁部及び／又は底部の一定箇所に固定すること。【選択図】  図４
2006008241.tif 000002
【特許請求の範囲】
【請求項１】
商品の収納袋内又は収納箱内の片寄り・移動を抑制するために、互いに相対する少なくとも１対のプラスチック製又は布製紐状物またはテープ状物を備えた収納袋又は収納箱において、該紐状物またはテープ状物が該収納袋又は収納箱の周縁部の一定箇所に、及び／又は底部周縁部の一定箇所に固着されており、該商品の収納時に、該紐状物またはテープ状物をその両端部で結束し又はその両端部に設けた嵌合具により固定して、収納された商品の片寄り・移動が抑割されたことを特徴とする、結束可能な紐状物またはテープ状物付きプラスチック製、紙製、不織布製又は布製収納袋又は収納箱。
【請求項２】
パック詰め商品の収納袋内の片寄り・移動を抑制するために、互いに相対する少なくとも１対のプラスチック製テープを備えたレジ袋において、該テープが該レジ袋の底部周縁部の一定箇所に溶着されており、該パック詰め商品の収納時に、該テープをその両端部で結束して、収納された商品の片寄り・移動が抑制されたことを特徴とする、結束可能な紐状物またはテープ状物付きレジ袋。
【請求項３】
パック詰め商品の収納袋内の片寄り・移動を抑制するために、互いに相対する１対のプラスチック製テープを備えたレジ袋において、該テープが該レジ袋と一体に構成されており、且つ該テープがレジ袋の手提げ部の形成の過程を利用して作成され、しかも該テープの長さが該テープを結束した場合にパック詰め商品の収納袋内の片寄り・移動を抑制できる程度とすることを特徴とする、結束可能な紐状物またはテープ状物付きレジ袋。
【請求項４】
衣装等の貴重品の収納箱内の片寄り・移動を抑制するために、互いに相対する２対のプラスチック製又は布製テープを備えたプラスチック製、紙製、不織布製又は布製収納箱において、該テープが該収納箱底部の周縁部の一定箇所に互いに相対するように固着されており、該商品の収納時に、該テープをその両端部で結束し又は両端部に設けた嵌合具により固定して、収納された衣装等の貴重品の片寄り・移動が抑制されたことを特徴とする収納箱。
【発明の詳細な説明】
【技術分野】
【０００１】  本発明は、例えば、スーパー等で提供される持ち帰りのプラスチック製パック詰め寿司、刺し身や弁当等を収納するためのレジ袋；包装箱入りケーキの持ち帰り用ガゼット折り込みレジ袋；衣装等の貴重品の収納箱において、これらの収納物が片寄らず、買い求めた状態で収納できる結束可能な紐又はテープ付き商品収納袋又は収納箱に関する。
【背景技術】
【０００２】  従来、持ち帰りの寿司、刺し身、弁当等を買い求めてスーパー等で提供されるレジ袋に収納して持ち帰って見ると、片寄ってしまって商品価値が半減し落胆することが多いのが現状である。
また、例えば、衣装等の貴重品を購入して衣装箱等に収納して持ち帰るとか、宅配便等で運送する等の場合に、底部に片寄ってしまってもう一度アイロン掛け等で元の状態に戻すことが多い。【０００３】  従来、このような収納状態を回避するために、通常採用される手段は、収納物がなるべく片寄らないようにしてレジ袋や衣装箱等を持ち運ぶ等の消極的な方法に頼らざるを得ないのが現状である。
また、衣装箱の場合では到底その対策もなく、例えば宅配便等による場合には、特に酷い場合が多く我慢をせざるを得ないのが現状であって、従来技術としては、以下に説明するように全く見るべきものがない。
例えば、上部のコ字状の開口部に手袋形状のシールが施されて、商品が脱落し難いガゼット折込み付きレジ袋（特許文献１）、開口部に商品が脱落し難い縛り紐付きガゼット折込み付き袋（特許文献２）、手提げ部と収納部とが一体化したレジ袋（特許文献３）、食べ物と飲み物との接触を避けるために、レジ袋の外側に補助収納空間を設けたレジ袋（特許文献４）、底部に弁当を安定して運搬できる空間を設けた手提げ袋（特許文献５）、包装袋全体に多数の切り込みを設け、バラ状態で壊れ易い商品の収納に適したトレイ機能を持つ包装袋（特許文献６）等が知られているが、緊結により又は固定具により結束可能な紐又はテープ付き商品収納袋又は収納箱は全く知られていなかった。【０００４】
【特許文献１】実開昭６１−２０２２２９号公報
【特許文献２】実開昭６１−１５０７４３号公報
【特許文献３】実用新案登録第３０６９６４２号
【特許文献４】特開２０００−１１８５３７号公報
【特許文献５】特開平９−１６８４１７号公報
【特許文献６】特開平９−１１００７５号公報
【発明の開示】
【発明が解決しようとする課題及び解決手段】
【０００５】  そこで、本発明者は、レジ袋や衣装箱のように、常時運搬することが普通である商品収納のための収納袋又は収納箱において、これらの収納物が片寄らず移動せず、買い求めた状態で収納できることについて鋭意検討を重ねた結果、該商品収納のための収納袋又は収納箱に結束可能な紐又はテープをその収納袋又は収納箱の周縁部及び／又は底部の一定箇所に固定することにより、これらの収納物が片寄り・移動することなく、商品価値を損なうことがないことを見い出し、本発明を完成するに至った。
【０００６】  即ち、本発明は；
（１）  商品の収納袋内又は収納箱内の片寄り・移動を抑制するために、互いに相対する少なくとも１対のプラスチック製又は布製紐状物またはテープ状物を備えた収納袋又は収納箱において、該紐状物またはテープ状物が該収納袋又は収納箱の周縁部の一定箇所に、及び／又は底部周縁部の一定箇所に固着されており、該商品の収納時に、該紐状物またはテープ状物をその両端部で結束し又はその両端部に設けた嵌合具により固定して、収納された商品の片寄り・移動が抑制された、結束可能な紐状物またはテープ状物付きプラスチック製、紙製、不織布製又は布製収納袋又は収納箱を提供する。また、
（２）  パック詰め商品の収納袋内の片寄り・移動を抑制するために、互いに相対する少なくとも１対のプラスチック製テープを備えたレジ袋において、該テープが該レジ袋の底部周縁部の一定箇所に溶着されており、該パック詰め商品の収納時に、該テープをその両端部で結束して、収納された商品の片寄り・移動が抑制された、結束可能な紐状物またはテープ状物付きレジ袋を提供する。また、
（３）  パック詰め商品の収納袋内の片寄り・移動を抑制するために、互いに相対する１対のプラスチック製テープを備えたレジ袋において、該テープが該レジ袋と一体に構成されており、且つ該テープがレジ袋の手提げ部の形成の過程を利用して作成され、しかも該テープの長さが該テープを結束した場合にパック詰め商品の収納袋内の片寄り・移動を抑制できる程度とすることを特徴とする、結束可能な紐状物またはテープ状物付きレジ袋を提供する。また、
（４）  衣装等の貴重品の収納箱内の片寄り・移動を仰制するために、互いに相対する２対のプラスチック製又は布製テープを備えたプラスチック製、紙製、不織布製又は布製収納箱において、該テープが該収納箱底部の周縁部の一定箇所に互いに相対するように固着されており、該商品の収納時に、該テープをその両端部で結束し又は両端部に設けた嵌合具により固定して、収納された衣装等の貴重品の片寄り・移動が抑制された収納箱を提供する。
【０００７】  本発明は、下記の実施の態様をも包含する。
（Ａ）  該商品がプラスチックパック詰め寿司、刺し身等；プラスチックパック詰め弁当；サービス箱詰めケーキ等や衣装類等の貴重品であり、且つ該収納袋又は収納箱が手提げ付きレジ袋、手提げ付きガゼット折り込みレジ袋、衣装箱である、収納袋又は収納箱。
（Ｂ）  押出ブロー機により押出されたエンドレスの菅状プラスチックフィルムを、押出ブロー機に連結して設けた菅路に沿って進行させ、該菅状プラスチックフィルム内に複数枚のエンドレスのプラスチック製又は布製紐状物又はテープ状物を該菅路上に沿わせ、手提げ付きレジ袋の長手寸法に合致した部位で、所定の間隔で溶着と同時に手提げ形状に切断し、手提げ部分で溶着した紐状またはテープを該菅路上に設けた切断具により切り離す、紐状物又はテープ状物付き手提げ付きレジ袋の連続的製造方法（図３参照）。
（Ｃ）  押出ブロー機により押出されたエンドレスの菅状プラスチックフィルムを、押出ブロー機に連結して設けた菅路に沿って進行させ、手提げ付きレジ袋の長手寸法に合致した部位で、所定の間隔で溶着と同時に手提げ形状に切断するに際し、レジ袋の両手提げ部間の２個のＵ字形空間を下方に長目に該菅路上に設けた切断具により切り離すことを特徴とする、結束用テープ状物がレジ袋と一体に構成されたレジ袋の連続的製造方法（図３参照）。
【発明の効果】
【０００８】  本発明の結束可能な紐又はテープ付き商品収納袋又は収納箱を用いると、結束可能な少なくとも１対の紐又はテープがその収納袋又は収納箱の周縁部及び／又は底部の一定箇所に設けられているので、これらの商品が片寄り・移動することなく、商品価値を損なうことがない効果がある。
【発明を実施するための最良の形態】
【０００９】  以下、本発明を詳細に説明する。
本発明の結束可能な紐又はテープ付き商品収納袋又は収納箱は、基本的に、商品の片寄り・移動を抑制するために、少なくとも１対のプラスチック製又は布製紐状物またはテープ状物を備えた収納袋又は収納箱において、該紐状物またはテープ状物が該収納袋又は収納箱の周縁部の一定箇所に、及び／又は底部周縁部の一定箇所に固着されており、該商品の収納時に、該紐状物またはテープ状物をその両端部で結束して、収納された商品の片寄り・移動が抑制された、結束可能な紐状物またはテープ状物付きプラスチック製、紙製、不織布製又は布製収納袋又は収納箱に関する。【００１０】  該収納袋又は収納箱に設けられた結束可能な紐状またはテープ状物は、該収納袋又は収納箱内の商品が片方によらず移動することがなければ、その設置場所及びその個数並びに長さ、巾、材質は特に限定されない。
ここで言う「結束」とは、図２に示すように１対の紐又はテープを縛る、図６に示すように嵌合具で固定する、図５に示すように適当なシールで止める等１対の紐又はテープが固定されていて簡単には外れたりしないことを指す。
図４、５に示すように、レジ袋の縛り又は結束テープ５、５ａをレジ袋の生地自体を生かした構成、即ち該テープ５、５ａが該レジ袋１と一体に構成されており、且つ該テープがレジ袋の手提げ部の形成の過程を利用して作成され、しかも該テープの長さが該テープを結束した場合にパック詰め商品の収納袋内の片寄り・移動を抑制できる程度とする結束可能なテープ状物付きレジ袋である。【００１１】  図１、２に示すように、互いに相対する１対のプラスチック製紐又はテープを備えたレジ袋において、該テープが該レジ袋の底部周縁部の一定箇所に溶着されており、該パック詰め商品の収納時に、該テープをその両端部で結束して、収納されたパック詰め商品の片寄り・移動が抑制された、結束可能な紐またはテープ付きレジ袋である。
互いに相対する１対のプラスチック製紐又はテープを収納袋又は収納箱底部の周縁部の一定箇所に固定するには、任意の固着手段で良いが、押出ブロー成形で連続的に製造できるレジ袋のように例えば高周波溶着、接着剤、スナップ、又は座金による固着が採用でき、特に、図１、２に示されるレジ袋のように連続的に製造する場合には高周波溶着手段の適用が好ましい。【００１２】  また、図６に示されるように、衣装等の貴重品の収納箱内の片寄り・移動を抑制するために、互いに相対する２対のプラスチック製又は布製テープを備えたプラスチック製、紙製、不織布製又は布製収納箱において、該テープが該収納箱底部の周縁部の一定箇所に互いに相対するように固着されており、該商品の収納時に、該テープをその両端部で結束又は両端部に設けた嵌合具により固定して、収納された衣装等の貴重品の片寄り・移動が抑制された収納箱である。【００１３】  図１、２、４〜６により、本発明に係る結束可能な紐又はテープ付き商品収納袋又は箱状物の特徴を詳細に説明する。
図１において、１はレジ袋であって、手提げ部４、４’と上方縛り部３が設けられ、上下方溶着線２’、２により製袋化されると共に手提げ部４、４’が形成される。レジ袋１の底部のほぼ中心部の１箇所ａ部に１対の縛りテープ５’が溶着され且つ両側部に縛りテープ５が溶着された構造のレジ袋とするか〔（ロ）〕、或いは底部の周縁部である下方溶着線２に互いに結束し易い一定の間隔で１対の縛りテープ５が溶着されたレジ袋とする〔（イ）〕。
勿論、（ロ）図のように、底部への縛りテープ５’の固定は、連続的製造に適する溶着手段の適用の他に、座金やスナップや接着剤等の使用により、入手でレジ袋の一定位置に固着しても良い。
図１に示される結束可能な紐又はテープ付きレジ袋は押出ブローによる連続製造技術に向いている。【００１４】  図２において、７はガゼット折り込みレジ袋であり、手提げ部４、４’が設けられ、上方溶着線２’、下方溶着線２によりガゼット折り込みレジ袋に手提げ部４、４’が形成される。
ガゼット折り込み付きレジ袋７の底部のほぼ中心部の１箇所ａ部に１対の紐状またテープ状物５がスナップ８により固定され且つ両側部に紐状またテープ状物５’が溶着された構造のレジ袋とする。パック詰め商品９は該レジ袋７内に収納され、紐状またテープ状物５、５’をかけて結び付けることによりレジ袋７内に固定し、買い求めた状態を維持でき、持ち帰り易い。
図２に示されるガゼット折り込み付きレジ袋７は、実開昭６１−２０２２２９号公報に記載された押出ブロー技術を応用した図３に示した方法で容易に製造できる。
この場合に、底部への紐状またテープ状物５の固定は、スナップの代わりに溶着、座金、接着剤等の使用によっても良い。【００１５】  このようなレジ袋の製造は、以下に詳述するように既存の押出ブローラインの一部の改良により容易に連続製造を行うことができる。
押出ブローによる連続製造ラインによる結束可能な紐又はテープ付きレジ袋の製造法を説明する。
図３は、既存の押出ブロー製袋技術（昭和５４年１０月２０日日刊工業新聞社発行「プラスチック加工技術便覧」８４７〜８４８頁）に一部改良を加えた、図１、２に示した結束可能な紐又はテープ付きレジ袋の製造ラインを示す。
１１は台１２上に据え付けられた押出ブロー機であり、加圧空気を吹き込みつつ口金１７から押出されたエンドレスの菅状プラスチックフィルム１８を、押出ブロー機１１に連結して設けた菅路１４に沿って進行させ、該菅状プラスチックフィルム１８内に複数枚のエンドレスの紐又はテープ１９を該菅路１４上に沿わせ、手提げ付きレジ袋の長手寸法に合致した部位で、所定の間隔で高周波溶着機１５により溶着と同時に手提げ形状に切断し、手提げ部分で溶着したテープを該菅路上に設けた切断具１６により切り離し、次いで製造された製品（縛りテープ付きレジ袋）を受箱２０に貯蔵する。
図２に示した結束可能な紐又はテープ付きガゼット折り込みレジ袋の製造には、上記図３の製造ラインに、サイドウエルド溶着装置を設けることにより容易に製造できる。【００１６】  図４は縛り又は結束テープ一体化ガゼット折り込みレジ袋であり、既存のレジ袋を一部改変することにより容易に製造できる。
即ち、既存のレジ袋において、両手提げ部４、４間の２個のＵ字形空間１０、１０を下方に長目に構成し、従って縛りテープ５を長目とすることにより、該縛りテープ５でパック詰め商品のガゼット折り込みレジ袋７内への収納が片寄り・移動することがない。
また、レジ袋における各寸法は、代表的なレジ袋について検討した結果であり、レジ袋の大きさの大小によってその寸法割合を調整することは勿論である。【００１７】  図５は、結束テープ一体化レジ袋であり、既存のレジ袋を一部改変することにより容易に製造できる。また、この場合にガゼット折り込みレジ袋にも適用できる。
既存のレジ袋において、中央の手提げ部４ａの形成過程を利用して形成されるものであり、図５に示すように、手提げ部４ａに沿ったレジ袋の両生地に切り込み１０ａと切り込み端部の亀裂を防止するための丸穴１０ｂを形成し、該切り込み１０ａを一定長で入れて１対の結束用テープ５ａを形成し、しかも１対の結束用テープ５ａの長さが該テープを結束又はシール６ａした場合にパック詰め商品の収納袋内の片寄り・移動を抑制できる程度とするものであって、該結束用テープ５ａでパック詰め商品のレジ袋内への収納が片寄り・移動することがない。
また、レジ袋における各寸法は、代表的なレジ袋について検討した結果であり、レジ袋の大きさの大小によってその寸法割合を調整することは勿論である。【００１８】  図６は、互いに相対する２対のプラスチック製又は布製テープ２２を備えたプラスチック製、紙製、不織布製又は布製収納箱２１であって、１対の該テープ２組２２が該収納箱底部の周縁部の一定箇所に互いに相対するように固着されており、衣装２４のような商品の収納時に、該テープ２２をその両端部で結束又は両端部に設けた嵌合結合具２３により固定して、収納された衣装等の貴重品の片寄り・移動が抑制された収納箱２１である。
【産業上の利用可能性】
【００１９】  本発明の結束可能な紐又はテープ付き商品収納袋又は収納箱は、該商品収納袋又は収納箱に結束可能な紐又はテープが一定箇所に設けられているので、これらの収納物が片寄り・移動することなく、商品価値を損なうことがないので、例えばレジ袋や衣装箱等の分野でその利用価値は非常に高く、スーパー、菓子店、デパート等や宅配便等で極めて有効性であって、画期的な発明と言える。
【図面の簡単な説明】
【００２０】
【図１】本発明の結束可能な紐又はテープ付きレジ袋の構造を示す模式図である。
【図２】本発明の結束可能な紐又はテープ付きガゼット折り込みレジ袋の構造を示す模式図である。
【図３】本発明の結束可能な紐又はテープ付きレジ袋の連続的製造ラインを説明する模式図である。
【図４】結束可能なテープがレジ袋と一体に構成された構造のガゼット折り込みレジ袋の構造を示す模式図である。
【図５】結束可能なテープがレジ袋と一体に構成された構造のレジ袋の構造を示す模式図である。
【図６】衣装等の貴重品の収納に適する収納箱の構造を示す模式図である。
【符号の説明】
【００２１】１  レジ袋
２  下方溶着線
２’上方溶着線
３  上方縛り部
４、４’  手提げ部
４ａ  中央手提げ部
５  縛りテープ
５’縛りテープ
５ａ  結束用テープ
６  結び目
６ａ  シール貼
７  ガゼット折り込みレジ袋
８  スナップ
９  パック詰め商品
１０  Ｕ字形空間
１０ａ  切り込み
１０ｂ  丸穴
１１  押出ブロー機
１２  台
１３  ホッパー
１４  管路
１５  高周波溶着機
１６  切断機
１７  口金
１８  管状フィルム
１９  紐又はテープ
２０  受箱
【図１】
2006008241.tif 000003
【図２】
2006008241.tif 000004
【図３】
2006008241.tif 000005
【図４】
2006008241.tif 000006
【図６】
2006008241.tif 000007
【図５】
2006008241.tif 000008